(57)【要約】【課題】  複数の領域を有する建物内空間における全体的な空気の対流を抑制するとともに、下部空間が連通し異なる環境を有する複数の領域を建物内空間に形成する建物内空間の環境制御装置を提供する。【解決手段】  環境制御装置３は、建物１の天井７に二台のスクリーン装置１５を設け、スクリーン装置の巻き上げ装置で昇降動作可能なスクリーン１７により、床面６ａより上方の任意の高さ位置Ｈから天井まで建物内空間の上部のみを三つの領域Ｓ1，Ｓ2，Ｓ3に仕切り、建物には空調装置Ｃ1，Ｃ2，Ｃ3を設けて、各領域が互いに異なる環境になるようにこの空調装置で制御する。【選択図】    図１
2005304342.tif 000002
【特許請求の範囲】
【請求項１】
建物外部から仕切られた建物内空間における環境を制御するための環境制御装置であって、
建物の天井に少なくとも一台のスクリーン装置を設け、
このスクリーン装置の巻き上げ装置で昇降動作可能なスクリーンにより、床面より上方の任意の高さ位置から天井まで建物内空間の上部のみを複数の領域に仕切り、
建物には空調手段を設けて各領域が互いに異なる環境になるようにこの空調手段で制御するようにしたことを特徴とする建物内空間の環境制御装置。
【請求項２】
建物は環境傾度温室であり、建物内空間の各領域には、この各領域の環境に適する生物群がそれぞれ配置されていることを特徴とする請求項１に記載の建物内空間の環境制御装置。
【請求項３】
スクリーン装置のスクリーンは側面視でＶ字形を有するとともに、このスクリーンが反転する下端部は下方に引っ張られており、
このＶ字形のスクリーンにより囲まれた内部スペースの温度を、このスクリーンの外部側温度とは異なるように制御することにより、このスクリーンの外面側に上昇気流または下降気流を創成することを特徴とする請求項１または２に記載の建物内空間の環境制御装置。
【請求項４】
スクリーン装置のスクリーンが移動装置により建物の天井に沿って移動することにより、建物内空間の各領域の範囲を変更可能にしたことを特徴とする請求項１，２または３に記載の建物内空間の環境制御装置。
【発明の詳細な説明】
【技術分野】
【０００１】
本発明は、たとえば、環境傾度温室（バイオームを形成する建物）における建物内空間の環境を制御するための環境制御装置に関する。
【背景技術】
【０００２】
近年は、地球のさまざまな気候帯や生息環境に生息する動植物達のデリケートな生態やバイオームに関して注目されている。「バイオーム」は、「地理的に広い領域を覆っている複合的生物群集」と言われる場合もあるが、「一つの大きな生態系の地域に棲む生物の社会全体、またはある地域の気候で支えられ独自の植物で特徴付けらけた複合生物共同体」と言われる場合もあり、明確な定義は定まっていないのが現状である。
このようなバイオームを建物内に人工的に作り出すことができれば好都合である。たとえば、大きな建物の内部を外部から仕切った大空間とし、この建物内大空間に、異なる環境を有する複数の領域を形成し、各領域で動植物達が生息するバイオームとすることが考えられる。
【発明の開示】
【発明が解決しようとする課題】
【０００３】
しかしながら、建物内空間全体での空気の対流を強くすると、異なる環境の領域を形成するための気流，湿度などの調整が難しくなる。この気流，湿度などの調整を行うために、各領域をたとえば固定式の幕やエアーカーテンなどで仕切ってしまうと、植物の種子，昆虫，鳥などが、領域間を拡散，移動できなくなるので、自然に近い生態系を再現できなくなってバイオームとしては好ましくない。
【０００４】
本発明は、このような課題を解決するためになされたもので、複数の領域を有する建物内空間における全体的な空気の対流を抑制するとともに、下部空間が連通し異なる環境を有する複数の領域を建物内空間に形成することができる建物内空間の環境制御装置を提供することを目的とする。
【課題を解決するための手段】
【０００５】
上述の目的を達成するため、本発明にかかる建物内空間の環境制御装置は、建物外部から仕切られた建物内空間における環境を制御するための環境制御装置であって、建物の天井に少なくとも一台のスクリーン装置を設け、このスクリーン装置の巻き上げ装置で昇降動作可能なスクリーンにより、床面より上方の任意の高さ位置から天井まで建物内空間の上部のみを複数の領域に仕切り、建物には空調手段を設けて各領域が互いに異なる環境になるようにこの空調手段で制御するようにしている。
たとえば、建物は環境傾度温室であり、建物内空間の各領域には、この各領域の環境に適する生物群がそれぞれ配置されているのが好ましい。
スクリーン装置のスクリーンは側面視でＶ字形を有するとともに、このスクリーンが反転する下端部は下方に引っ張られており、このＶ字形のスクリーンにより囲まれた内部スペースの温度を、このスクリーンの外部側温度とは異なるように制御することにより、このスクリーンの外面側に上昇気流または下降気流を創成するように構成するのが好ましい。
スクリーン装置のスクリーンが移動装置により建物の天井に沿って移動することにより、建物内空間の各領域の範囲を変更可能にするのが好ましい。
【発明の効果】
【０００６】
本発明の建物内空間の環境制御装置は、上述のように構成したので、複数の領域を有する建物内空間における全体的な空気の対流を抑制するとともに、下部空間が連通し異なる環境を有する複数の領域を建物内空間に形成することができる。
【発明を実施するための最良の形態】
【０００７】
下記の実施例では、建物の天井に少なくとも一台（ここでは、二台）のスクリーン装置を設け、このスクリーン装置のスクリーンにより建物内空間の上部のみを複数の領域に仕切り、建物に空調手段を設けることにより、空気の対流を抑制し、下部空間が連通し異なる環境を有する複数の領域を建物内空間に形成するという目的を実現している。
下記の実施例では、建物として環境傾度温室（バイオームを形成する建物であり、以下、バイオーム用ドームという）を例にとって示しているが、建物内空間を、異なる環境の複数の領域に仕切る必要のある工場の建物であってもよい。たとえば、工場内に炉が設置されていて、炉の熱の影響を周囲に及ぼさないために、炉の領域と周囲の領域とを仕切る場合がある。
【実施例】
【０００８】
以下、本発明にかかる一実施例を、図１ないし図７を参照して説明する。
図１ないし図４は本発明の一実施例を示す図で、図１は、建物内空間の環境制御装置の概略構成を示す正面図、図２は、図１に示す環境制御装置の概略構成を示す斜視図、図３（Ａ）は、図１に示す環境制御装置の正面断面図、図３（Ｂ），（Ｃ）は、それぞれ図３（Ａ）のＢ部拡大図，Ｃ部拡大図である。図４は図１のIV−IV線断面図である。
【０００９】
図１ないし図４に示すように、本実施例の建物１は、バイオーム用ドームであり水平面２に対して所定角度傾斜して設置されている。環境制御装置３は、建物１の外部４から仕切られた建物内空間５における環境を制御する機能を有している。
建物１は、下方の床６と上方の天井７と建物内空間５の全体を囲う壁８とを有し、建物内空間５は外部から遮断された空間になっている。天井７と壁８は、透明または半透明のガラス製またはプラスチック製で、太陽光Ｒは受けるが外気温の影響を受けない断熱構造になっている。
建物１の天井７には、少なくとも一台（ここでは、二台）のスクリーン装置１５が設けられ、スクリーン装置１５は巻き上げ装置１６を有している。
巻き上げ装置１６でＹ方向（ほぼ上下方向）に昇降動作可能なスクリーン１７は、床６の床面６ａより上方の任意の高さ位置Ｈから天井７まで建物内空間５の上部のみを、複数（ここでは、三つ）の領域Ｓ1（たとえば、熱帯ゾーン），領域Ｓ2（たとえば、温帯ゾーン），領域Ｓ3（たとえば、寒帯ゾーン）に仕切っている。
【００１０】
スクリーン１７で上部が仕切られた各領域Ｓ1，Ｓ2，Ｓ3には、空調装置Ｃ1，Ｃ2，Ｃ3がそれぞれ設けられている。空調装置Ｃ1，Ｃ2，Ｃ3は、各領域Ｓ1，Ｓ2，Ｓ3がそれぞれ互いに異なる環境になるように制御している。空調装置Ｃ1，Ｃ2，Ｃ3は、熱帯側が高湿度で寒帯側が低湿度になるように、各領域Ｓ1，Ｓ2，Ｓ3の湿度を制御する機能を有している。
領域Ｓ1（熱帯ゾーン）の一番高温にすべき位置には加熱パネル９が設置され、また、空調装置Ｃ1により領域Ｓ1は加湿されている。領域Ｓ3（寒帯ゾーン）の一番低温にすべき位置には、放射冷却パネル１０が設置されている。この放射冷却パネル９や空調装置Ｃ3により、領域Ｓ3では、この領域内部の水蒸気が大量に結露して減湿されている。
建物１に設けられた空調装置Ｃ1，Ｃ2，Ｃ3，加熱パネル９，放射冷却パネル１０などにより、各領域Ｓ1，Ｓ2，Ｓ3を互いに異なる環境になるように制御する空調手段が構成されている。
重力による温度成層を形成するために、建物１の全体は水平面２に対して傾斜している。これにより、床面６ａ（すなわち、バイオーム用ドームの地表面）は、南側の熱帯ゾーン（領域Ｓ1）側が高くて北側の寒帯ゾーン（領域Ｓ3）側が低くなるように、傾斜している。
【００１１】
環境制御装置３が建物内空間５の環境を制御するので、複数（ここでは、三つ）の領域Ｓ1，Ｓ2，Ｓ3を有する建物内空間５における全体的な空気の大対流を抑制するとともに、下部空間Ｓａが連通し異なる環境を有する複数の領域Ｓ1，Ｓ2，Ｓ3を建物内空間５に形成することができる。
本実施例の建物１はバイオーム用ドームであり、熱帯の気候から寒帯の気候までの雰囲気を、一つの連続した空間で実現している。建物内空間５の各領域Ｓ1，Ｓ2，Ｓ3には、この各領域Ｓ1，Ｓ2，Ｓ3の環境に適する生物群Ｂ1，Ｂ2，Ｂ3がそれぞれ配置されている。生物群としては樹木や花などの植物，昆虫，鳥などがあり、各領域に樹木，花などが植栽されている。
各領域Ｓ1，Ｓ2，Ｓ3の温度，湿度は、それぞれ各生物群Ｂ1，Ｂ2，Ｂ3に適した環境になるように空調装置Ｃ1，Ｃ2，Ｃ3，加熱パネル９，放射冷却パネル１０などの空調手段により制御されているので、各生物群Ｂ1，Ｂ2，Ｂ3はそれぞれ良好に生息することができる。
【００１２】
スクリーン装置１５のスクリーン１７は側面視でＶ字形を有するとともに、このスクリーン１７が反転する下端部１８は、重力または重力以外の手段（たとえば、ばね力）により下方に引っ張られている。スクリーン１７は、その下方に配置されて正逆方向に回転自在な下部ローラ３１に巻き掛けられており、そのＶ字形の開き角θは、スクリーン１７を下ろしたり巻き上げたりすると変化するが０度〜１５度が好ましい。
Ｖ字形のスクリーン１７により囲まれた内部スペース１９の温度（内部側温度）Ｔinを、このスクリーン１７の外部側の温度（外部側温度）Ｔoutとは異なるように制御することにより、スクリーン１７の外面側に上昇気流２０ａまたは下降気流２０ｂを創成している。これにより、領域Ｓ1，Ｓ2，Ｓ3内でそれぞれ気流（自然対流）Ｅ1，Ｅ2，Ｅ3が循環する。
スクリーン装置１５は、スクリーン１７を移動させるための移動装置２１を有している。この移動装置２１は、スクリーン１７を建物１の天井７に沿ってＸ方向に移動させることにより、建物内空間５の各領域Ｓ1，Ｓ2，Ｓ3の範囲を変更可能にしている。これにより、各領域Ｓ1，Ｓ2，Ｓ3で生息する生物群Ｂ1，Ｂ2，Ｂ3の量を適宜増減する調整を行うことができる。
【００１３】
環境制御装置３についてさらに詳述する。
天井７には複数（ここでは、二台）のスクリーン装置１５を設置し、各スクリーン装置１５のスクリーン１７は、所定の高さ寸法Ｌになるように巻き上げ装置１６により調整されている。
熱帯ゾーン側のスクリーン１７の内部スペース１９には冷風を供給して、内部側温度Ｔinが所定温度になるように温度制御している。すなわち、領域Ｓ1と領域Ｓ2の間に配置されたスクリーン装置１５は、スクリーン１７の内部スペース１９に冷風を供給して下降気流２０ｂを形成しているので、「冷却下降型」のスクリーン装置である。
一方、寒帯ゾーン側のスクリーン１７の内部スペース１９には温風を供給して、内部側温度Ｔinが所定温度になるように温度制御している。すなわち、領域Ｓ2と領域Ｓ3の間に配置されたスクリーン装置１５は、スクリーン１７の内部スペース１９に温風を供給して上昇気流２０ａを形成しているので、「加温上昇型」のスクリーン装置１５である。
【００１４】
このように、天井７からスクリーン１７を垂らして建物内空間５の上部のみを仕切ることにより、建物内空間５内の空気の全体的な大対流を寸断させるとともに、建物内空間５内に、各領域Ｓ1，Ｓ2，Ｓ3毎に循環する気流Ｅ1，Ｅ2，Ｅ3が生成するように、スクリーン装置１５，空調装置Ｃ1，Ｃ2，Ｃ3などで制御している。
これにより、気流Ｅ1，Ｅ2，Ｅ3同士が、建物内空間５の連通する下部空間Ｓａで相互に混合して温度勾配が生じる。こうして、建物内空間５の開放性を保ちながら、複数の領域Ｓ1，Ｓ2，Ｓ3が、異なる温度などの環境を有し且つ連続性を保つことができる。
建物内空間５に形成される気流Ｅ1，Ｅ2，Ｅ3は、スクリーン１７と空調装置Ｃ1，Ｃ2，Ｃ3の配置で、建物１の南北方向の回転対流と東西方向の回転対流の組合せが可能になるので、バイオームにおける自然条件に応じた気流制御を行うことができる。
【００１５】
スクリーン装置１５の移動装置２１は、一例として、Ｘ方向に延びるレールを天井７に設け、このレールに係合する走行クレーンをＸ方向に移動させるメカニズムなどで構成されている。
巻き上げ装置１６は、Ｘ，Ｙ方向の両方向に直交するＺ方向に延びる回転ローラが配置され、この回転ローラ３を正逆方向に回転駆動して、スクリーン１７をＹ方向に巻き上げたり下ろしたりする制御ができるようになっている。
領域Ｓ1，Ｓ2，Ｓ3における環境の変化や空調状況に応じて、移動装置２１と巻き上げ装置１６で、スクリーン１７のＸ方向の位置および下方への長さＬを任意に調整することができる。したがって、環境制御装置３の施工後でも、実情に応じてスクリーン１７のＸ方向の位置と長さＬを変更して、気流Ｅ1，Ｅ2，Ｅ3の流れや温度分布の調整を行うことができる。
【００１６】
スクリーン１７は、この素材の表面に金属製の箔（たとえば、アルミニウム箔）を張り付ければ、この金属製箔は、熱に対して低放射率で且つ光に対して高反射率であり、熱遮断性能に優れているので好ましい。
こうして、スクリーン１７の表面を低放射率且つ高反射率にすれば、エネルギーは、スクリーン１７で囲まれた内部スペース１９の空気の加熱，冷却のみに作用して、気流創出のエネルギー効率を高めることができる。
スクリーン１７はもともと面積が大きいので、スクリーン１７の表面を熱に対して低放射率とし、光に対して高反射率にすることで、建物１内の地表での光（可視光および赤外線）の環境を天井面とできるだけ均一にし、地表からの見掛けの天空状態を制御することができる。
なお、スクリーン１７は、ガラス繊維，布など一般材料のみにより形成され金属製箔が張り付けられていない場合であってもよい。この場合、熱に関して高放射率で且つ光に関して低反射率なので、物体からの熱を放射で吸収するか、または周囲に放射で熱を供給するのに適している。
【００１７】
冷却下降型のスクリーン装置１５は、下部ローラ３１の下方に結露受け３２が吊り下げられている。下部ローラ３１と結露受け３２により、スクリーン１７の下端部１８が、重力または重力以外の手段（たとえば、ばね力）により下方に引っ張られている。
スクリーン１７の表面が冷却されて結露した結露水は、結露受け３２で捕集され排出される。結露受け３２を設けたので、スクリーン装置１５から水滴がぽたぽたと流れ落ちる恐れはない。
内部スペース１９には、空調装置Ｃ1，Ｃ2からダクトを介して冷風を供給することにより、内部スペース１９の温度（内部側温度Ｔin）を、スクリーン１７の外部側温度Ｔoutより低くなるように制御している。これにより、スクリーン１７の外面側に下降気流２０ｂを創成している。
【００１８】
加温上昇型のスクリーン装置１５において、スクリーン１７は下部ローラ３１に巻き掛けられており、この下部ローラ３１により、スクリーン１７の下端部１８を下方に引っ張っている。
内部スペース１９には、空調装置Ｃ2，Ｃ3からダクトを介して温風を供給して、内部スペース１９の温度（内部側温度Ｔin）を、スクリーン１７の外部側温度Ｔoutより高くなるように制御している。これにより、スクリーン１７の外面側に上昇気流２０ａを創成している。
なお、下部ローラ３１に直接的に（または、その近傍に）ヒーターを設け、このヒーターと空調装置Ｃ2，Ｃ3から供給される温風とで、内部スペース１９の空気を加熱するようにしてもよい。
【００１９】
このように、気流は物の面に沿って流れるという特性（すなわち、コアンダー効果）を利用して、スクリーン装置１５は、スクリーン１７の外側に上昇気流２０ａ，下降気流２０ｂを創出している。
冷却下降型のスクリーン装置１５でその周囲に下降気流２０ｂを形成し、加温上昇型のスクリーン装置１５でその周囲に上昇気流２０ａを形成したので、領域Ｓ1では、たとえば時計まわり方向の大きな気流Ｅ1が生成され、領域Ｓ2では反時計まわり方向の大きな気流Ｅ2が生成され、領域Ｓ3では時計まわり方向の大きな気流Ｅ3が生成されることが分かる（図１参照）。
スクリーン１７の内部スペース１９に冷風や温風を導入することで、スクリーン１７の表面の温度制御を行って、気流の方向性の制御と放熱，吸熱を行うことができる。また、内部スペース１９に冷風を導入すれば、スクリーン１７の表面に結露をさせて、その結露水を結露受け３２で処理して、除湿の機能を発揮させることができる。
このようにして、スクリーン１７を有する少なくとも一台（ここでは、二台）のスクリーン装置１５を使用することで、連続的に温度傾斜する空間（たとえば、０℃〜４０℃まで連続的に温度傾斜する空間）を創出することができる。
【００２０】
次に、本実施例の環境制御装置３における解析データについて説明する。
図５は、建物内空間５の中央部の縦断面の風速ベクトル分布のデータを示す図で、図５（Ａ），（Ｂ）は、スクリーン装置１５がない場合とある場合をそれぞれ示している。図６は、建物内空間５の中央部の縦断面の温度分布のデータを示す図で、図６（Ａ），（Ｂ）は、スクリーン装置１５がない場合とある場合をそれぞれ示している。図７は、建物内空間５の床上１ｍの仮想平面での温度分布のデータを示す図で、図７（Ａ），（Ｂ）は、スクリーン装置１５がない場合とある場合をそれぞれ示している。
【００２１】
解析の対象となるモデルの仕様および条件は下記の通りである。
建物１は、南北方向の長さ２００ｍ，東西方向の幅５０ｍ，高さ４０ｍの直方体であり、南側の領域Ｓ1を熱帯ゾーンとし、中間の領域Ｓ2を温帯ゾーンとし、北側の領域Ｓ3を寒帯ゾーンとしている。建物１全体は、熱帯ゾーン側が高くなるように水平面２に対して約１０度傾斜している。
建物内空間５の温度は、熱帯側（図１，図２の左側）の壁面は加熱パネル９で４０℃とし、寒帯側（図１，図２の右側）の壁面は放射冷却パネル１０で０℃としている。また、空調装置Ｃ1，Ｃ2，Ｃ3により、床面６ａの近くでは４０℃，３５℃，３０℃，２５℃，２０℃，１５℃，１０℃，５℃，０℃の温度設定を行っている。
空調装置Ｃ1，Ｃ2，Ｃ3は、建物内空間５の両側で且つ長辺方向一杯に高さ２ｍの吹出し吸込み口を配置し、吹出し温度は前記設定温度になるように制御している。吹出し風速は、領域Ｓ1（熱帯ゾーン）では２.５ｍ／ｓとし、領域Ｓ2（温帯ゾーン）では１.５ｍ／ｓとし、領域Ｓ3（寒帯ゾーン）では０.５ｍ／ｓとし、吹出し吸込み口の位置を対向させている。
スクリーン１７は、その高さ寸法Ｌが約２０ｍになるように巻き上げ装置１６により調整されている。熱帯ゾーン側のスクリーン１７の内部スペース１９には冷風を供給して内部側温度Ｔinを１５℃に設定し、寒帯ゾーン側のスクリーン１７の内部スペース１９には温風を供給して内部側温度Ｔinを２５℃に設定して、温度制御している。
【００２２】
図５（Ａ）に示すように、スクリーン装置１５がない場合には、建物内空間５に全体的な大対流が生じている。そのため、異なる環境を有する複数の領域が建物内空間５には形成されていない。
これに対して、図５（Ｂ）に示すように、建物１の天井７に二台のスクリーン装置１５を設けることにより、建物内空間５における全体的な大対流の発生を抑制して、領域Ｓ1，Ｓ2，Ｓ3毎に気流が形成される。その結果、下部空間Ｓａが連通し異なる環境を有する領域Ｓ1，Ｓ2，Ｓ3を形成することができる。
【００２３】
建物内空間５の温度分布については、図６（Ａ）に示すように、スクリーン装置１５がない場合には重力の影響で等温線ｇはほぼ水平になっている。
これに対して、図６（Ｂ）に示すように、スクリーン装置１５がある場合には大対流の発生を抑制しているので、等温線ｇがやや傾斜して、異なる環境の領域Ｓ1，Ｓ2，Ｓ3が形成される。
【００２４】
また、床上１ｍの仮想平面での温度分布に関しては、スクリーン装置１５がない場合には、図７（Ａ）に示すように、建物内空間５全体で不規則であるが、図７（Ｂ）に示すように、スクリーン装置１５を設けた場合は、各領域Ｓ1，Ｓ2，Ｓ3における温度分布が、スクリーン装置１５がない場合と比べて連続的に温度変化している。これにより、下部空間Ｓａが連通し異なる環境を有する領域Ｓ1，Ｓ2，Ｓ3を、建物内空間５に形成することができる。
【００２５】
上述のように、本実施例では下部空間Ｓａが連通しているので、この下部空間Ｓａに生物群Ｂ1，Ｂ2，Ｂ3など物があってもスクリーン１７は邪魔にならない。また、背の高い植物などを移動するのにスクリーン１７が邪魔になるときは、巻き上げ装置１６を駆動してスクリーン１７を巻き上げればよい。
下部空間Ｓａが連通しているので、植物の種子，昆虫，鳥などが領域Ｓ1，Ｓ2，Ｓ3間を拡散，移動することができるので、自然に近い生態系を再現することができる。
空気の大対流の発生を抑制し、領域Ｓ1，Ｓ2，Ｓ3相互間の対流を少なくしているので、環境制御装置３全体を省エネルギー化することができる。
【００２６】
以上、本発明の一実施例を説明したが、本発明は、上述の実施例に限定されるものではなく、本発明の要旨の範囲で種々の変形，付加などが可能である。
なお、各図中同一符号は同一または相当部分を示す。
【産業上の利用可能性】
【００２７】
本発明は、建物としてバイオーム用ドームのほか工場の建物などに適用可能である。
【図面の簡単な説明】
【００２８】
【図１】図１ないし図７は本発明の一実施例を示す図で、図１は、建物内空間の環境制御装置の概略構成を示す正面図である。
【図２】図１に示す環境制御装置の概略構成を示す斜視図である。
【図３】図１に示す環境制御装置の正面断面図である。
【図４】図１のIV−IV線断面図である。
【図５】建物内空間の中央部の縦断面の風速ベクトル分布のデータを示す図である。
【図６】建物内空間の中央部の縦断面の温度分布のデータを示す図である。
【図７】建物内空間の床上１ｍの仮想平面での温度分布のデータを示す図である。
【符号の説明】
【００２９】
１      建物
３      環境制御装置
４      建物外部
５      建物内空間
６ａ    床面
７      天井
９      加熱パネル（空調手段）
１０    放射冷却パネル（空調手段）
１５    スクリーン装置
１６    巻き上げ装置
１７    スクリーン
１８    下端部
１９    内部スペース
２０ａ  上昇気流
２０ｂ  下降気流
２１    移動装置
Ｂ1，Ｂ2，Ｂ3     生物群
Ｃ1，Ｃ2，Ｃ3     空調装置（空調手段）
Ｈ      高さ位置
Ｓ1，Ｓ2，Ｓ3     領域
Ｔin    内部側温度
Ｔout   外部側温度
【図１】
2005304342.tif 000003
【図２】
2005304342.tif 000004
【図３】
2005304342.tif 000005
【図４】
2005304342.tif 000006
【図５】
2005304342.tif 000007
【図６】
2005304342.tif 000008
【図７】
2005304342.tif 000009